【事件の表示】
　平成　６年特許願第　４５０５６号「磁気ヘッド」拒絶査定不服審判事件〔平成　７年　８月２９日出願公開、特開平　７−２３０６０６〕について、次のとおり審決する。
【結　論】
　本件審判の請求は、成り立たない。
【理　由】
１　手続の経緯、本願発明
　本願は、平成６年２月１７日の出願であって、平成１５年５月２２日付けで手続補正がなされ、その後平成１５年１０月３１日付けで拒絶査定がされ、これに対し、平成１５年１２月５日に審判請求がされるとともに、平成１５年１２月２６日付けで手続補正がなされたものである。
　平成１５年１２月２６日付け手続補正は、補正前の請求項１を削除し、補正前の請求項２を独立形式で記載したものを請求項１として項番号を繰り上げ、補正前の請求項３ないし６を削除するものであるので、特許法第１７条の２第３項第１号に規定する特許請求の範囲の請求項の削除を目的とするものに該当する。
　本願の請求項１に係る発明は、平成１５年１２月２６日付け手続補正書により補正された明細書及び図面の記載からみて、その請求項１に記載された発明（以下、「本願発明」という。）は次のとおりである。
　「【請求項１】　記録再生用ギャップを有する記録再生用コア体と消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、
　基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、
　該バックコアの基部は矩形であり、前記第１、第２、第３の脚部は前記基部の一辺側に形成され、前記第１、第２の脚部は前記基部の一辺側の隅部に形成され、かつ、前記配列部外脚部は３本の脚部からなり、前記基部における第１、第２、第３の脚部の配列部から所定距離離間した部分は、前記基部の一辺側に対向する他辺側であり、
　前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする磁気ヘッド。」
　
２　引用例
（１）　原査定の拒絶の理由で引用された特開昭６０−３２１０６号公報（以下「引用例１」という。）には、磁気ヘッドに関して次の事項が記載されている。（なお、下線は当審で付与したものである。）
　（ア）　「
コア素片間の一端に作動ギャップを有する前部磁気ヘッドコア部と、前記磁気ヘッドコア部を含んで一体化されてなり、一面において磁気記録媒体対向面を構成するマスクコア部分と、前記コア素片の他端に突き合わされ、前記コア素片対と共に磁気回路を構成する後部磁性コア脚部と前記後部磁性コア脚部と一体に形成され前記マスクコア部分の他面に突き当てられる他の脚部よりなる後部コア部分と、前記磁性コア脚部に施された巻線とを有し、前記コア素片他端と前記後部磁性コア脚部とが突き合わされ、前記マスクコア部分他面と前記他の脚部が接合されてなる磁気ヘツド。
　（イ）　「背景技術とその問題点
　フロッピーデイスク装置に使用される磁気ヘッド、即ちフロッピーヘッドにはトンネル型、ストラドル型、バルク型があるが、本発明のフロッピーヘッドはバルク型に関する。従来のバルク型フロッピーヘッドとして、例えば第１図Ａ（側面図）及び第１図Ｂ（上面図）に示す構造のものがあり、これは、
書き込み／読出し用の磁気ギャップｇ
１
及びその両側に消去用の磁気ギャップｇ
２
を有するヘッドコア（１）
　（ウ）　「実施例
　本発明の磁気ヘッドは、
作動磁気ギャップｇ
１
及びｇ
２
を有する磁気ヘッドコア部及びマスクコア部（所謂スライダー）を一体に含んだ前部コア部分
巻線が施された後部磁性コア脚部及び他の脚部を有する後部コア部分とを別体に製作し、その両者を合体して
　以下、図面を参照して本磁気ヘッドの１例をその製法と共に説明する。（中略）
　次に、（中略）第８図Ａ（底面図）及び第８図Ｂ（正面図）に示す各コア素片（２３），（２４），（２５）よりなる前記磁気ヘッドコア部（２６）を得る。
　一方、第９図に示すように
マスクコア部分即ちスライダー（２７）
磁気気録媒体摺動面となる面を球面研磨して
書き込み／読み出し用の作動磁気ギャップｇ
１
及びその両側に消去用の作動磁気ギャップｇ
２
を有した前部コア部分（３４）
　一方、
上記前部コア部分（３４）とは別工程で製作した後部コア部分（３５）を用意する
後部コア部分（３５）は、
３本の後部磁性コア脚部（３６）
これらの後部磁性コア脚部（３６）を挟む両側にこれと一体に形成され、スライダー（２７）の他面に突き当てられる夫々３本（合計６本）の他の脚部（３７）
左右２個の後部磁性コア脚部（３６）には、第１４図に示すコイル（３８）を巻線機により巻装したコイルボビン（３９）が装着
　然る後、前記コア部分（３４）のヘッドコア部（２６）における各コア素片（２３），（２４），（２５）に後部磁性コア脚部（３６）を
夫々突き合わし
突き合わせて接合することにより、前記コア部分（３４）と後部コア部分（３５）とを合体して
　本磁気ヘッド（４０）によれば、前部コア部分（３４）と後部コア部分（３５）とを夫々設け、両者を接合して構成されるので、加工、組立でコア折れの発生がなくなる。そして、前部コア部分（３４）と後部コア部分（３５）とは、そのコア素片（２３），（２４），（２５）に後部磁性コア脚部（３６）が接合され、同時に両側のスライダー（２７）に他の脚部（３７）が接合されるので、安定した接合状態が得られ、バックギャップのバラツキも少なく特性が向上する。また３つのコア素片（２３），（２４）及び（２５）で書き込み／読み出し用の作動磁気ギャップｇ１と消去用の作動磁気ギャップｇ２が形成されるので、両者間の位置関係が正確に得られる。（中略）同時に製造が容易になるため、製造費が低減される。
　さらに本磁気ヘッド（４０）は、
別体に作成された前部コア部分（３４）と後部コア部分（３５）とが合体されて製造され
　（エ）　第１２図には、前部コア部分（３４）が、
前部磁気ヘッドコア部（２６）と、その両側に接合されたスライダー（２７、２７）からなり、当該スライダー（２７、２７）は、前部磁気ヘッドコア部（２６）と摺動方向の長さが等しく
直方体に近い形状である
　（オ）　第１３図には、３本の後部磁性コア脚部（３６）が一列に配列され、該配列された配列部から所定距離離間した部分である一方の側に、他の脚部（３７）が、上記３本の後部磁性コア脚部に対応するように、３本設けられ、同様に、該配列された配列部から所定距離離間した部分である他方の側に、他の脚部３７が、上記３本の後部磁性コア脚部に対応するように、３本設けられ、あわせて６本の他の脚部３７が、３本の後部磁性コア脚部と共に、
基部
　（カ）　第１３図、第１５図によれば、一列に配列された３本の後部磁性コア脚部（３６）のうち、両端の左右２個の後部磁性コア脚部（３６）にコイルが装着されていることが、図示されている。
　
３　対比・判断
（１）対比
　本願発明と引用例１に記載された発明とを対比する。
　引用例１には、上記２（ア）〜（オ）（下線部参照）に摘示した記載事項によれば、
　「コア素片間の一端に作動ギャップを有する前部磁気ヘッドコア部と、前記前部磁気ヘッドコア部を含んで一体化されてなり、一面において磁気記録媒体対向面を構成するマスクコア部分と、前記コア素片の他端に突き合わされ、前記コア素片対と共に磁気回路を構成する後部磁性コア脚部と前記後部磁性コア脚部と一体に形成され前記マスクコア部分の他面に突き当てられる他の脚部よりなる後部コア部分と、前記磁性コア脚部に施された巻線とを有し、前記コア素片他端と前記後部磁性コア脚部とが突き合わされ、前記マスクコア部分他面と前記他の脚部が接合されてなる磁気ヘツドであって、
　前記作動ギャップは、書き込み／読み出し用の作動磁気ギャップｇ１及び消去用の作動磁気ギャップｇ２であり、
　前記マスクコア部分即ちスライダーは、前部磁気ヘッドコア部の両側に接合され、前部磁気ヘッドコア部と摺動方向の長さが等しく、直方体に近い形状であり、
　前記前部磁気ヘッドコア部と前記マスクコア部分とからなる前部コア部分と、後部コア部分とは、別体に製作され、その両者を合体して構成するものであり、
　前記後部コア部分は、３本の後部磁性コア脚部と、これらの後部磁性コア脚部を挟む両側にこれと一体に形成され、スライダーの他面に突き当てられる夫々３本の他の脚部と、基部を有し、
　左右２個の後部磁性コア脚部には、コイルを巻装したコイルボビンが装着されている磁気ヘッド。」
　の発明が記載されている。
　
　引用例１に記載された発明の「作動ギャップ、作動磁気ギャップ」「前部磁気ヘッドコア部」「マスクコア部分、スライダー」「書き込み／読み出し用」「後部磁性コア脚部」「他の脚部」「前部コア部分」「後部コア部分」は、それぞれ本願発明の「ギャップ」「コア組立体」「アウトリガー」「記録再生用」「第１、第２、第３の脚部」「配列部外脚部」「フロントコア」「バックコア」に相当している。
　引用例１に記載された発明の「コア素片間の一端に作動ギャップを有する前部磁気ヘッドコア部」は、書き込み／読み出し用の作動磁気ギャップｇ１及び消去用の作動磁気ギャップｇ２を有し、コア素片として例示される３つのコア素片２３，２４及び２５のうち、コア素片２３と２４が記録再生用コア体、コア素片２４と２５が消去用コア体といえるから、本願発明の「記録再生用ギャップを有する記録再生用コア体と消去用ギャップを有する消去用コア体を接合してなるコア組立体」に相当する構成を備えている。
　引用例１に記載された発明において、「スライダ」は、前部磁気ヘッドコア部の両側に接合され、前部磁気ヘッドコア部と摺動方向の長さが等しく、直方体に近い形状であるので、引用例１に記載された「スライダー」は、「コア組立体と等しい長さの略直方体である第１のアウトリガー」と「コア組立体と等しい長さで略直方体の第２のアウトリガー」であるといえ、引用例１に記載された「前部コア部分」は、「コア組立体の両側に第１のアウトリガーと第２のアウトリガーを接合してなるフロントコア」であるといえる。
　引用例１に記載された発明の「後部コア部分」は、「３本の後部磁性コア脚部と、これらの後部磁性コア脚部を挟む両側にこれと一体に形成され、スライダーの他面に突き当てられる夫々３本の他の脚部と、基部を有し、左右２個の後部磁性コア脚部には、コイルを巻装したコイルボビンが装着され」、３本の後部磁性コア脚部のうちの両端の左右２本にコイルが装着され（上記（カ）参照）ているので、本願発明の「基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコア」に相当する構成を備えている。
　引用例１に記載された発明の「磁気ヘッド」は、「前記コア素片他端と前記後部磁性コア脚部とが突き合わされ、前記マスクコア部分他面と前記他の脚部が接合されてなる」もので、３本の後部磁性コア脚部の各頂部に、コア素片からなる前部磁気ヘッドコア部が位置するように接合され、他の脚部の各頂部に、スライダーが位置するように接合されていることが明らか（上記（エ）（オ）第１５図参照）であるから、本願発明の「前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され」に相当する構成を備えている。
　引用例１に記載された発明の「磁気ヘッド」は、その前部コア部分の磁気記録媒体摺動面となる面が球面研磨されることが例示されている（上記（ウ）参照）ので、「フロントコアの記録媒体に対する摺動面を形成する面側に加工が施されてなる」ものといえる。
　してみると、本願発明と引用例１に記載された発明は、
　「記録再生用ギャップを有する記録再生用コア体と消去用ギャップを有する消去用コア体を接合してなるコア組立体、該コア組立体と等しい長さの略直方体の第１のアウトリガー、並びに前記コア組立体と等しい長さで略直方体の第２のアウトリガーからなり、前記コア組立体の両側に前記第１のアウトリガーと前記第２のアウトリガーを接合してなるフロントコアと、
　基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、
　前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側に加工が施されてなる磁気ヘッド。」
　である点で一致しており、以下の点で相違している。
　
　（相違点１）アウトリガーについて、本願発明では、「第１のアウトリガー」が「長手方向に伸びる溝」を備え、「第２のアウトリガー」が「第１のアウトリガーよりも幅狭の直方体」であると特定されているに対し、引用例１に記載された発明では、そのように特定されていない点。
　（相違点２）バックコアについて、本願発明では、バックコアの基部が「矩形」で、第１、第２、第３の脚部は前記基部の「一辺側に」形成され、前記第１、第２の脚部は前記基部の「一辺側の」隅部に形成され、かつ、前記配列部外脚部は「３本の」脚部からなり、前記基部における第１、第２、第３の脚部の配列部から所定距離離間した部分は、前記基部の「一辺側に対向する他辺側であり」、と特定されているのに対し、引用例１に記載された発明では、基部に形成された第１、第２、第３の脚部の配列部の両側に、それぞれ３本の配列部外脚部が形成されている点。
　（相違点３）フロントコアの記録媒体に対する摺動面を形成する面側に施された加工について、本願発明では、「ブレンド加工」と特定されているのに対し、引用例１に記載された発明では、そのように特定されていない点。
　
（２）相違点についての判断
（相違点１について）
　引用例１には、前部磁気ヘッドコア部の両側に接合されたスライダとして、幅寸法が略同等のものが図示されている（上記（エ）参照）のみであるが、引用例１に記載された発明の磁気ヘッドとして、図示のものに限らず、周知のフロツピーデイスク装置用磁気ヘッドで使用されるスライダの構造を採用することは当業者が適宜なし得ることであるから、アウトリガーに長手方向に伸びる溝を備えたり、一方のアウトリガーが他方のアウトリガーよりも幅狭の直方体であるという、周知のスライダ構造を採用することは、当業者が必要に応じ適宜なし得ることである。なお、上記周知のスライダ構造は、例えば、原審において示された、実願平２−２８３９３号（実開平３−１２１５０７号）のマイクロフィルム及び特開平５−４６９１３号公報等に記載されている。
（相違点２について）
　引用例１には、基部に形成された第１、第２、第３の脚部の配列部の両側に、それぞれ３本の配列部外脚部が形成されたものが図示されているのみであるが、引用例１において、「他の脚部」（本願発明の「配列部外脚部」に相当）は、「後部磁性コア脚部」（本願発明の「第１〜第３の脚部」に相当）と一体に形成されて「スライダー」（本願発明の「アウトリガー」に相当）に突き当てられて、フロントコアの支持ができれば足りるものであり、コア以外の支持部が１列であるものも周知の事項で（例えば、特公平５−２９９６１号公報等参照）あって、「他の脚部」の本数及び配置、並びに本数及び配置の簡略化は、当業者が必要に応じ適宜設計しうる事項にすぎない。よって、引用例１に記載された、「他の脚部」を両側に配置する構成に換え、片側のみとし、バックコアの矩形の基部の一辺側に「後部磁性コア脚部」を、一辺側に対向する他辺側に３本の「他の脚部」を配置することは、当業者が容易に想到しうることである。
（相違点３について）
　フロントコアの記録媒体に対する摺動面を形成する面側にブレンド加工を施すことは、周知の事項であり、引用例１に記載された発明において、そのフロントコアに周知の加工を施すことは当業者が必要に応じ適宜なし得ることにすぎない。
　
　そして、上記相違点を総合的に検討しても、本願発明の効果は、引用例１に記載された発明及び周知の事項から当業者であれば予測することができる程度のものにすぎず、格別顕著なものではない。
　
４　むすび
　したがって、本願発明は、本願出願前に頒布された引用例１に記載された発明に基いて当業者が容易に発明をすることができたものであるから、特許法第２９条第２項の規定により特許を受けることができない。
　よって、結論のとおり審決する。